(57)【要約】      （修正有）【課題】作業者が表示器に表示の数値に関連したデータを手書きで記録に残し、これを管理用のＰＣにデータ入力する手間を省くことができるカメラを利用した表示読取暗室を提供する。【解決手段】表示読取暗室１００は、暗室本体１０２と、上蓋１０４と、上蓋を暗室本体に固定するためのバックルと、上蓋のハンドル１０８と、放射線量計測器本体１２を定置するためのベースプレート４２と、計測器本体を横断して位置し且つベースプレートに固定されたブリッジ４８と、ブリッジに固定され且つ計測器本体のバックライト無しの表示器１４に向けて配置された第１カメラ１６と、上蓋に固定された照明器３４と、計測器本体、第１カメラ、照明器のケーブル６０が挿通する貫通孔とを有する。【選択図】図３
0003222821.tif 000002
【実用新案登録請求の範囲】
【請求項１】
制御盤の表示器の部分に固設される表示読取暗室であって、
該暗室の内面を構成するインナーであって、光を吸収する材料で構成されたインナーと、
該暗室の前記表示器と対向して配置されたカメラと、
前記表示器を照明する照明器と、
前記カメラ及び前記照明器から延びるケーブルを外部に延出する貫通孔と、
該貫通孔をシールするシール部材とを有する表示読取暗室。
【請求項２】
上方に向けて開放した暗室本体と、
該暗室本体の上蓋と、
該上蓋を前記暗室本体に固定するためのバックルと、
前記上蓋に設けられ、作業者が把持するハンドルと、
前記暗室本体の内部に放射線量計測器の計測器本体を定置するためのベースプレートと、
前記計測器本体を横断して位置し、前記ベースプレートに固定されたブリッジと、
該ブリッジに固定され、前記計測器本体のバックライト無しの表示器に向けて配置された第１カメラと、
前記上蓋に固定された照明器と、
前記暗室本体に形成され、前記計測器本体、前記第１カメラ、前記照明器のケーブルが挿通する貫通孔とを有する表示読取暗室。
【請求項３】
前記第１カメラと前記ブリッジとの間に設けられ、前記第１カメラの上下左右の向きを調整することのできる第１位置決め部材を更に有する、請求項２に記載の表示読取暗室。
【請求項４】
前記照明器と前記上蓋との間に設けられ、前記照明器の位置を調整することのできる第２位置決め部材を更に有する、請求項３に記載の表示読取暗室。
【請求項５】
上方に向けて開放した暗室本体と、
該暗室本体の上蓋と、
該上蓋を前記暗室本体に固定するためのバックルと、
前記上蓋に設けられ、作業者が把持するハンドルと、
前記暗室本体に固設されたバックライト付きの重量計表示器と、
前記暗室本体に固設され、前記重量計表示器を撮影する第２カメラと、
前記暗室本体に形成され、前記重量計表示器、前記第２カメラのケーブルが挿通する貫通孔とを有する表示読取暗室。
【請求項６】
前記第２カメラが、該第２カメラの向きを調整することのできる第３位置決め部材を介して前記暗室本体に固設されている、請求項５に記載の表示読取暗室。
【請求項７】
前記暗室本体、前記上蓋の内面を構成するインナーであって、光を吸収する材料で構成されたインナーを更にする、請求項２又は５に記載の表示読取暗室。
【考案の詳細な説明】
【技術分野】
【０００１】
本考案は、表示器に表示の情報をカメラで撮像するための表示読取暗室に関する。
【背景技術】
【０００２】
液晶、７セグメントディスプレイ、メータなどの表示器が各種機器に取り付けられている。例えば、放射線量を計測するサーベイメータは、その計測器本体にバックライト無しの液晶とアナログメータとからなる表示器が設置されている。
【０００３】
東京電力福島第一原発事故から年月を経た今日にあっても放射能汚染のリスクは消失していない。放射能汚染物質の除去、放射能汚染マップの更新などのためにサーベイメータを用いて放射線量の計測が行われている。
【０００４】
サーベイメータの典型例として、日立アロカメディカル株式会社のサーベイメータを挙げることができる（特許文献１）。これは、GM管サーベイメータの名で販売され、広く普及している。このGM管サーベイメータは計測器本体に表示器が配設されており、表示器として、アナログメータの表示器とデジタル数値表示器とが組み合わされている。
【０００５】
現場作業の現場を説明すると、作業者はGM管サーベイメータを現場に持ち込み、計測器本体に表示されている放射線量などの数値及び計測した日時、現場の位置情報を手書きで紙に記録を残す。同様に、必要であれば、検査対象の重量を計測し、その数値などを紙に記録を残す。そして、事務所に戻ったら、管理用のＰＣに入力する。
【先行技術文献】
【特許文献】
【０００６】
【特許文献１】特開２０１７−１５０９８８号公報
【考案の概要】
【考案が解決しようとする課題】
【０００７】
本願考案者は、現場作業者の作業性を高めるために、現場でサーベイメータの表示をカメラで撮影し、この撮像データをパーソナルコンピュータ（PC）に取り込んで解読し、そしてこれを数値情報として取得することを思い付き、これを実際にやってみた。その結果は、上手く取得できる場合とできない場合とがあることが分かった。このような現状で実用化することは現場作業に混乱を与えてしまうという技術的課題を認識した。
【０００８】
しかし、この技術的課題を解消して、カメラとPCとの組み合わせによる数値情報の正確な取得が実現できれば、現場作業での作業性の改善に大きく貢献できる。このことは、制御盤についても同様である。制御盤に設置されている表示器に表示の数値に関連したデータ及びその日時などのデータを作業者が手書きで記録に残す場合がある。
【０００９】
本考案の目的は、作業者が表示器に表示の数値に関連したデータを手書きで記録に残し、これを管理用のＰＣにデータ入力する手間を省くことができる表示読取暗室を提供することにある。
【課題を解決するための手段】
【００１０】
上記の技術的課題は、本考案の第１の観点によれば、
制御盤の表示器の部分に固設される表示読取暗室であって、
該暗室の内面を構成するインナーであって、光を吸収する材料で構成されたインナーと、
該暗室の前記表示器と対向して配置されたカメラと、
前記表示器を照明する照明器と、
前記カメラ及び前記照明器から延びるケーブルを外部に延出する貫通孔と、
該貫通孔をシールするシール部材とを有する表示読取暗室を提供することにより達成される。
【００１１】
上記の技術的課題は、本考案の第２の観点によれば、
上方に向けて開放した暗室本体と、
該暗室本体の上蓋と、
該上蓋を前記暗室本体に固定するためのバックルと、
前記上蓋に設けられ、作業者が把持するハンドルと、
前記暗室本体の内部に放射線量計測器の計測器本体を定置するためのベースプレートと、
前記計測器本体を横断して位置し、前記ベースプレートに固定されたブリッジと、
該ブリッジに固定され、前記計測器本体のバックライト無しの表示器に向けて配置された第１カメラと、
前記上蓋に固定された照明器と、
前記暗室本体に形成され、前記計測器本体、前記第１カメラ、前記照明器のケーブルが挿通する貫通孔とを有する表示読取暗室を提供することにより達成される。
【００１２】
上記の技術的課題は、本考案の第３の観点によれば、
上方に向けて開放した暗室本体と、
該暗室本体の上蓋と、
該上蓋を前記暗室本体に固定するためのバックルと、
前記上蓋に設けられ、作業者が把持するハンドルと、
前記暗室本体に固設されたバックライト付きの重量計表示器と、
前記暗室本体に固設され、前記重量計表示器を撮影する第２カメラと、
前記暗室本体に形成され、前記重量計表示器、前記第２カメラのケーブルが挿通する貫通孔とを有する表示読取暗室を提供することにより達成される。
【００１３】
本考案によれば、表示器と、これに向けたカメラが暗室によって包囲されていることから外乱光の影響を受けることなくカメラによって表示器を撮影することができ、そして鮮明な撮像データを取得することできる。その結果、カメラから取得する鮮明な撮像データによってＰＣは正確にデジタル数値データを生成することができる。
【００１４】
特に、放射線量の計測、重量計の計測において、本考案によるハンドル付きの携帯暗室を持ち込むことで現場がどのような環境下であってもカメラと表示部との間の関係は維持され且つ光による外乱要素も排除できることから、初期設定の状態を維持した中で表示器を撮像することができる。したがって、表示器とカメラとの相対的な位置を初期設定することで、表示器及びカメラを携帯暗室の中に組み込んだ暗室を現場に持ち込んで、携帯暗室の中のカメラと、携帯暗室の外部に位置するＰＣとをケーブル又は無線で接続することで、カメラの撮像データをＰＣで解読して数値情報を取得できる確率を高いレベルに維持することができる。したがって、現場作業を大幅に改善することができる。
【図面の簡単な説明】
【００１５】
【図１】第１、第２実施例の携帯暗室を含むＰＣを使った計測データ取込システムのブロック図である。
【図２】第１、第２実施例の携帯暗室の外観図である。
【図３】第１実施例の携帯暗室の内部構造を説明するための断面図である。
【図４】第１実施例の携帯暗室の内部に計測器、カメラ、照明器が配置されていることを説明するための断面図である。
【図５】重量計に接続されるバックライト付き表示器の平面図である。
【図６】第２実施例の携帯暗室の内部に重量計表示器とカメラが配置されていることを説明するための断面図である。
【図７】制御盤の外観を説明するための図である。
【図８】制御盤の表示器に設置された第３実施例の表示読取暗室の内部に、カメラと照明器が配置されていることを説明するための断面図である。
【図９】第１ないし第３実施例の表示読取暗室の中のカメラが無線（WiFi通信）でＰＣと接続され、そのためのアンテナが暗室の外面に設置されることを説明するための図である。
【考案を実施するための形態】
【実施例】
【００１６】
以下に、添付の図面に基づいて本考案の好ましい３つの実施例を説明する。第１実施例及び第２実施例は、放射線量測定のためにサーベイメータなどと一緒に現場に持ち運ぶのに用いられる携帯暗室である。第３実施例は、計器盤の表示器の部分に固定して使用する暗室である。
【００１７】
第１実施例、第２実施例の携帯暗室（表示読取暗室）１００、２００の説明の前に、これら携帯暗室１００、２００を含む表示取込システム２の全体概要を図１を参照して説明する。
【００１８】
現場には、作業者はパーソナルコンピュータ（ＰＣ）４、及びその周辺機器としてマウス６、記憶装置８、モニタ１０を持参する。ＰＣ４がノートブック型であれば、これらの要素６、８、１０はＰＣ４に一体に組み込まれている。記憶装置８は、外部記憶装置であってもよい。
【００１９】
第１実施例の携帯暗室１００は、サーベイメータ（線量計）の計測器本体１２と、この計測器本体１２の表示器１４を撮影するための第１のカメラ１６とを収容するのに用いられる。第２の実施例の携帯暗室２００は、検査対象の重量を測定する重量計１８に接続された表示器２０を撮影するための第２のカメラ２２とを収容するのに用いられる。検査対象の重量を測定する必要が無ければ、第２実施例の携帯暗室２００は不要であることから、第２実施例の携帯暗室２００は必要に応じて現場に持参される。
【００２０】
現場で、プローブを使って放射線量を測定すると、計測器本体の表示器１４の表示が第１カメラ１６で撮影され、その撮像データが有線又は無線でＰＣ４に供給される。同様に、検査対象の重量を測定したら、重量計表示器２０の表示が第２カメラ２２で撮影され、その撮像データが有線又は無線でＰＣ４に供給される。
【００２１】
ＰＣ４は、取得した撮像データから数値を読み取って、これをデジタル数値データに変換するプログラムが組み込まれている。このプログラムを実行することで、第１カメラ１６の撮像データ及び/又は第２カメラ２２の撮像データをデジタル数値データに変換し、このデジタル数値データは、その時の年月日に関連付けて記憶装置８に記憶される。また、ＰＣ４にはＧＰＳ２４から位置情報が入力されており、放射線量のデジタル数値データに関連付けて測定現場の位置情報が記憶装置８に記憶される。
【００２２】
ＰＣ４には、放射線量（μSv/h）を放射能濃度（Bq/Kg）に換算するプログラムが組み込まれており、ＰＣ４は、放射線量を計測した年月日、測定現場の位置情報と共に、放射線量、放射能濃度をモニタ１０に表示可能であり、また、現場にプリンタ２６を持参したときには、プリンタ２６を使って所望のフォーマットで出力することができる。
【００２３】
第１、第２実施例の携帯暗室１００、２００の外観は共通である。したがって、第１実施例の携帯暗室１００を例に図２を参照して、その外観を説明する。第１実施例の携帯暗室１００は、暗室本体１０２と上蓋１０４とで概略構成されている。暗室本体１０２は、上方に向けて開放した横断面矩形の形状を有している。上蓋１０４は、暗室本体１０２の一側に設けられた複数のヒンジ（図２の反対側に位置しているため図面には現れていない。）で暗室本体１０２に対して片開き可能である。上蓋１０４は複数のバックル１０６によって暗室本体１０２に対して固定することができる。そして、平面視矩形の上蓋１０４の中央部分にはハンドル１０８が設けられており、このハンドル１０８を把持することで携帯暗室１００を持ち運ぶことができる。図示を省略したが、ショルダーベルト（図示せず）の両端を固定できるフック（図示せず）を暗室本体１０２の両側壁に配置してもよい。
【００２４】
図３を参照して、暗室本体１０２及び上蓋１０４は、アルミニウム合金などの軽量金属で構成されたアウター１０２a、１０４aと、このアウター１０２a、１０４aの内面に添設されたインナー１０２b、１０４bとで構成され、インナー１０２b、１０４bは光吸収材で構成されている。光吸収材は典型的には黒色のような暗色のゴム又はウレタンスポンジで構成されているが、これに限定されない。インナー１０２b、１０４bは、携帯暗室１００の内部空間ＩＳにおいてカメラで撮像するのに外乱要素となる光の影響を減少又は無くすことができる材料であればよい。インナー１０２b、１０４bは内部空間ＩＳに臨む面が平らであってもよいし、凹凸形状を有していてもよい。
【００２５】
図３は、第１実施例の携帯暗室１００に収容された機器を説明するための概略図である。第１実施例の携帯暗室１００には、サーベイメータ（放射線量計測器）の計測器本体１２を受け止めるフレーム構造体４０と、第１カメラ１６が収容され、それぞれが位置固定されている。図４は、第１カメラ１６などを収容した第１実施例の携帯暗室１００の断面図である。図３、図４を参照して、計測器本体１２の表示器１４は、アナログメータ部３０と数値表示部３２とを有している。アナログメータ部３０及び数値表示部３２はバックライト無しである。これに対応して、第１実施例の携帯暗室１００には、照明器３４が配設され、この照明器３４によってアナログメータ部３０、数値表示部３２が均一に照明される。図示の例では、照明器３４は単一の直管形LEDランプで構成されているが、複数の点光源、面光源などを採用してもよい。
【００２６】
計測器本体１２と第１カメラ１６はフレーム構造体４０に取り付けられている。フレーム構造体４０は第１実施例の携帯暗室１００の内部底とほぼ同じ大きさの平面視矩形のベースプレート４２を有し、ベースプレート４２の上に計測器本体１２が上方に向けて設置される。このベースプレート４２の大きさにより、計測器本体の表示器１４と照明器３４との相対位置を位置決めすることができる。
【００２７】
ベースプレート４２は、計測器本体１２を位置決めするための第１ブラケット４４を有し、第１ブラケット４４は、計測器本体１２の両側に複数配置されている。各第１ブラケット４４には、第１ブラケット４４に対してネジ螺合するプッシャ４６が組み付けられ、このプッシャ４６によって計測器本体１２の側面を押圧することにより計測器本体１２を位置決めすることができる。
【００２８】
ベースプレート４２には、計測器本体１２の長手方向中間部分を横断するブリッジ４８が固設されている。ブリッジ４８には、第１カメラ１６を固定するための第２ブラケット５０が設けられ、この第２ブラケット５０とブリッジ４８との間には、第１カメラ１６の向きを上下左右に調整可能な第１位置決め部材５２が介装されている。この第１位置決め部材５２を調整することにより第１カメラ１６の視野をアナログメータ部３０又は数値表示部３２に差し向けることができる。計測器本体１２と同じベースプレート４２に第１カメラ１６を配設したことにより、第１カメラ１６と表示器１４との相対位置を固定することができる。
【００２９】
照明器３４は、第１実施例の携帯暗室１００の上蓋１０４に第３ブラケット５４を介して設置され、第３ブラケット５４と照明器３４との間には、好ましくは、照明器３４の位置を調整可能な第２位置決め部材（図示せず）が介装される。この第２位置決め部材を調整することにより照明器３４の光が均一にアナログメータ部３０又は数値表示部３２に行き渡り、撮像対象であるアナログメータ部３０又は数値表示部３２に陰ができないように照明器３４の位置を調整することができる。これにより、第１カメラ１６による撮像画像を鮮明にすることができ、これによりＰＣ４による読取精度を高いレベルに維持することができる。
【００３０】
計測器本体１２、第１カメラ１６、照明器３４は、各々、ケーブル６０を介して外部のＰＣ４、電源（図示せず）に接続される。計測器本体１２などから延びるケーブル６０は、暗室本体１０２の底部の貫通孔６２を通じて外部に引き出される（図２）。貫通孔６２はシール部材６４によって外光が暗室本体１０２に侵入するのを防止する。これにより外からの外乱光による読取精度の悪化を阻止することができる。
【００３１】
図５は、第２実施例の携帯暗室２００の内部に設置されるバックライト付き重量計表示器２０の平面図である。重量計表示器２０は金属ケース７０で覆われ、表示器２０の数値表示部２０aだけが露出している。
【００３２】
図６は、第２実施例の携帯暗室２００の内部に配置された表示器２０及び第２カメラ２２を示す。重量計表示器２０及び第２カメラ２２は、暗室本体１０２の側壁に固定された第４、第５ブラケット７２、７４によって固定され、重量計表示器２０と第２カメラ２２は互いに対抗した位置に位置決めされている。好ましくは、第５ブラケット７４と第２カメラ２２との間に第３位置決め部材７６が介装され、第２カメラ２２の向きを上下左右に調整可能であるのがよい。
【００３３】
図７は、例示としての制御盤を示す。図示の制御盤８０は数値表示器８２とアナログメータ８４を含む。数値表示器８２、アナログメータ８４はバックライトを備えていない。制御盤８０の数値表示器８２及び/又はアナログメータ８４に第３実施例の表示読取暗室３００がボルト・ナットなどの締結手段により後付けで設置される。
【００３４】
図８は、制御盤８０のケーシング８０ａに表示読取暗室３００を設置した状態を断面して示す図である。第３実施例の暗室３００は、金属、プラスチックなどのアウター３０２と、光吸収材などで構成されたインナー３０４とで構成された壁３０６を有し、数値表示器８２又はアナログメータ８４と対向する壁面３０６aに第３カメラ３１０、単数又は複数の照明器３１２が固設されている。第３カメラ３１０、照明器３１２は、その向きを調整可能な位置決め部材３１４を介して壁面３０６aに設置するのが好ましい。第３カメラ３１０は、その視野が数値表示器８２又はアナログメータ８４に差し向けられ、また、単数又は複数の照明器３１２は、数値表示器８２又はアナログメータ８４の全域において陰の無い状態で照明する。
【００３５】
暗室３００は貫通孔３１６を有し、第３カメラ３１０、照明器３１２から延びるケーブル３１８は、貫通孔３１６を通じて外部に延出することができる。貫通孔３１６はシール部材３２０によって外部からの光が暗室３００の中に侵入するのを防止するのが好ましい。
【００３６】
以上、第１ないし第３実施例を説明したが、第１ないし第３カメラ１６、２２、３１０とＰＣ４との接続は、上述したように有線で行っても良いし、無線で行っても良い。図９は、無線でカメラ１６、２２、３１０とＰＣ４とを接続する例を示す。カメラ１６、２２、３１０から延出するケーブル６０、３１８は、暗室１００、２００、３００の外面に固設したアンテナ９０に接続され、このアンテナ９０を通じてＰＣ４とWiFi通信によりカメラ１６、２２、３１０とＰＣ４との情報の授受が行われる。
【符号の説明】
【００３７】
１００  第１実施例の携帯暗室（表示読取暗室）
２００  第２実施例の携帯暗室（表示読取暗室）
４    パーソナルコンピュータ（ＰＣ）
１２    サーベイメータ（線量計）の計測器本体
１４    計測器本体表示器（バックライト無し）
１６    第１のカメラ
１８    重量計
２０    重量計表示器（バックライト付き）
２２    第２のカメラ
３４  第１カメラと一緒に暗室に組み込まれた照明器
４０  フレーム構造体
４２  ベースプレート
５２  第１位置決め部材（第1カメラ）
６０  ケーブル
６２  貫通孔
６４  シール部材
７６  第３位置決め部材（第２カメラ）
８０  制御盤
８２  制御盤の数値表示器
８４  制御盤のアナログメータ
９０  アンテナ
１０２  暗室本体
１０４  上蓋
１０６  バックル
１０８  ハンドル
３００  第３実施例の表示読取暗室
３１０  第３カメラ
３１２  照明器
３１４  位置決め部材
３１６  貫通孔
３１８  ケーブル
３２０  シール部材
【図１】
0003222821.tif 000003
【図２】
0003222821.tif 000004
【図３】
0003222821.tif 000005
【図４】
0003222821.tif 000006
【図５】
0003222821.tif 000007
【図６】
0003222821.tif 000008
【図７】
0003222821.tif 000009
【図８】
0003222821.tif 000010
【図９】
0003222821.tif 000011